(57)【特許請求の範囲】
【請求項１】
ビークルに搭載された捜索支援装置であって、
周囲環境を表す環境情報と、目標物を捜索する捜索センサ手段の性能を示す性能情報とを用いて、前記捜索センサ手段の捜索有効範囲を推定する、捜索有効範囲推定手段と、
前記環境情報と、前記ビークルに対して脅威となる対象物の保有するセンサの性能を示す性能情報とを用いて、前記対象物の保有するセンサの捜索有効範囲を推定する、脅威有効範囲推定手段と、
前記捜索センサ手段の捜索有効範囲と、前記対象物の保有するセンサの捜索有効範囲と、前記脅威となる対象物の予測場所とに基づいて、前記目標物までの捜索経路を算出する、経路算出手段と、
を有することを特徴とする捜索支援装置。
【請求項２】
請求項１に記載の捜索支援装置であって、
前記目標物について、推定した目標位置と、前記予測場所についての存在確率の分布と、移動方向と、移動速度とを有する目標物情報を生成する、捜索センサ手段
をさらに備え、
前記経路算出手段は、前記目標物情報に基づいて、前記目標物までの捜索経路を算出する
ことを特徴とする捜索支援装置。
【請求項３】
請求項２に記載の捜索支援装置であって、
前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、前記到達日時における、推定した前記目標位置における前記目標物の探知確率を算出する、探知確率算出手段
を有することを特徴とする捜索支援装置。
【請求項４】
請求項３に記載の捜索支援装置であって、
前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、脅威となる前記対象物の保有するセンサの性能を示す性能情報と、推定した前記目標位置の環境とを用いて、脅威となる前記対象物からの被探知確率を算出する、被探知確率算出手段
を有することを特徴とする捜索支援装置。
【請求項５】
請求項４に記載の捜索支援装置であって、
推定した前記目標位置における前記探知確率と、前記探知確率の要求度とを乗算した値と、推定した前記目標位置における前記被探知確率と、前記被探知確率の要求度とを乗算した値とを乗算して、推定した前記目標位置までの移動時間に対する、移動コストを算出する、移動コスト算出手段
を有することを特徴とする捜索支援装置。
【請求項６】
請求項５に記載の捜索支援装置であって、
前記捜索経路、又は探知確率、又は被探知確率、又はそれらを組み合わせた表示をするための表示情報を生成する、表示情報生成手段
を有することを特徴とする捜索支援装置。
【請求項７】
ビークルに搭載されたコンピュータが、
（ａ）周囲環境を表す環境情報と、目標物を捜索する捜索センサ部の性能を示す性能情報とを用いて、前記捜索センサ部の捜索有効範囲を推定し、
（ｂ）前記環境情報と、前記ビークルに対して脅威となる対象物の保有するセンサの性能を示す性能情報とを用いて、前記対象物の保有するセンサの捜索有効範囲を推定し、
（ｃ）前記捜索センサ部の捜索有効範囲と、前記対象物の保有するセンサの捜索有効範囲と、前記脅威となる対象物の予測場所とに基づいて、前記目標物までの捜索経路を算出する
ことを特徴とする捜索支援方法。
【請求項８】
ビークルに搭載されたコンピュータに、
（ａ）周囲環境を表す環境情報と、目標物を捜索する捜索センサ部の性能を示す性能情報とを用いて、前記捜索センサ部の捜索有効範囲を推定する、ステップと、
（ｂ）前記環境情報と、前記ビークルに対して脅威となる対象物の保有するセンサの性能を示す性能情報とを用いて、前記対象物の保有するセンサの捜索有効範囲を推定する、ステップと、
（ｃ）前記捜索センサ部の捜索有効範囲と、前記対象物の保有するセンサの捜索有効範囲と、前記脅威となる対象物の予測場所とに基づいて、前記目標物までの捜索経路を算出する、ステップと、
を実行させるプログラム。
【請求項９】
請求項８に記載のプログラムであって、
前記（ｃ）のステップにおいて、前記捜索センサ部が生成した、前記目標物について、推定した目標位置と、前記予測場所についての存在確率の分布と、移動方向と、移動速度とを有する目標物情報に基づいて、前記目標物までの捜索経路を算出する
ことを特徴とするプログラム。
【請求項１０】
請求項９に記載のプログラムであって、
前記プログラムが、前記コンピュータに、
（ｄ）前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、前記到達日時における、推定した前記目標位置における前記目標物の探知確率を算出する、ステップを実行させるプログラム。
【発明の詳細な説明】
【技術分野】
【０００１】
本発明は、捜索経路を算出する、捜索支援装置、捜索支援方法に関し、更には、これらを実現するためのプログラムに関する。
【背景技術】
【０００２】
ビークルにセンサを搭載し、目標物の捜索を行うシステムが利用されている。海上や海中、空中で利用されるこれらのシステムにおいて、ビークルの有人、無人を問わず、移動経路の決定は、オペレータがウェイポイントを手動で入力する方式が採用されている。【０００３】
また、地上で利用されるビークルについては、自動車のカーナビゲーションに代表される経路探索により、ルートを決定する方式が採用されている。【０００４】
関連する技術として、特許文献１には、戦闘用の航空機における最適な飛行経路を探索する飛行経路探索装置について開示されている。その飛行経路探索装置によれば、地図データを水平面内で複数の格子に分割し、地図データ及び敵勢力範囲情報に基づいて、複数の格子それぞれの攻撃回避度合いに関する点数を算出し、算出された複数の格子の各点数に基づいて、任務開始位置から攻撃位置までの飛行経路を探索する。【０００５】
また、特許文献２には、目標位置まで、味方の誤射を避けるように飛行計画を立案する飛行計画立案装置が開示されている。その飛行計画立案装置によれば、飛行経路情報と、気象情報と、脅威情報とに基づいて、飛行計画を立案する。【０００６】
また、特許文献３には、船舶について燃料の消費を最小化するための航路を算出する運行支援システムが開示されている。
【先行技術文献】
【特許文献】
【０００７】
【特許文献１】特開２０１５−００１３７７号公報
【特許文献２】特開平０４−２９８０００号公報
【特許文献３】特開２００９−２８６２３０号公報
【発明の概要】
【発明が解決しようとする課題】
【０００８】
ところで、ビークルに周囲環境の影響を受けやすいセンサを搭載し、目標物の捜索を行うシステムにおいて、目標物の捜索を行いつつ、目標物の位置まで移動する場合、周囲環境を把握し、周囲環境に応じて捜索経路を算出する必要がある。【０００９】
しかしながら、上述した特許文献１、２に開示の装置においては、飛行経路を算出する装置ではあるが、上述したようなセンサを利用して、周囲環境に応じて目標物の位置まで、捜索経路を算出することについて開示されていない。また、特許文献３においても、航路を算出しているが、上述したようなセンサを利用して、周囲環境に応じて目標物の位置まで、捜索経路を算出することについて開示されていない。更に、特許文献１から３には、脅威となる対象から、自身の被探知を抑制しながら、目標物の位置まで移動することについて開示されていない。【００１０】
従って、上述した特許文献１から３に開示された技術を用いても、周囲環境と脅威となる対象物とに応じて目標位置までの捜索経路を算出することは困難である。【００１１】
本発明の目的の一例は、周囲環境と脅威となる対象物とに応じて目標位置までの捜索経路を算出する捜索支援装置、捜索支援方法、及びプログラムを提供することにある。
【課題を解決するための手段】
【００１２】
上記目的を達成するため、本発明の一側面における捜索支援装置は、
周囲環境を表す環境情報と、目標物を捜索する捜索センサ手段の性能を示す性能情報とを用いて、前記捜索センサ手段の捜索有効範囲を推定する、捜索有効範囲推定手段と、
前記環境情報と、脅威となる対象物の保有するセンサの性能を示す性能情報とを用いて、前記対象物の保有するセンサの捜索有効範囲を推定する、脅威有効範囲推定手段と、
前記捜索センサ手段の捜索有効範囲と、前記対象物の保有するセンサの捜索有効範囲と、前記脅威となる対象物の予測場所の分布とに基づいて、前記目標物までの捜索経路を算出する、経路算出手段と、
を有することを特徴とする。
【００１３】
また、上記目的を達成するため、本発明の一側面における捜索支援方法は、
コンピュータが、
（ａ）周囲環境を表す環境情報と、目標物を捜索する捜索センサ部の性能を示す性能情報とを用いて、前記捜索センサ部の捜索有効範囲を推定し、
（ｂ）前記環境情報と、脅威となる対象物の保有するセンサの性能を示す性能情報とを用いて、前記対象物の保有するセンサの捜索有効範囲を推定し、
（ｃ）前記捜索センサ部の捜索有効範囲と、前記対象物の保有するセンサの捜索有効範囲と、前記脅威となる対象物の予測場所とに基づいて、前記目標物までの捜索経路を算出する、
ことを特徴とする。
【００１４】
更に、上記目的を達成するため、本発明の一側面におけるプログラムは、
コンピュータに、
（ａ）周囲環境を表す環境情報と、目標物を捜索する捜索センサ部の性能を示す性能情報とを用いて、前記捜索センサ部の捜索有効範囲を推定する、ステップと、
（ｂ）前記環境情報と、脅威となる対象物の保有するセンサの性能を示す性能情報とを用いて、前記対象物の保有するセンサの捜索有効範囲を推定する、ステップと、
（ｃ）前記捜索センサ部の捜索有効範囲と、前記対象物の保有するセンサの捜索有効範囲と、前記脅威となる対象物の予測場所とに基づいて、前記目標物までの捜索経路を算出する、ステップと、
を実行させることを特徴とする。
【発明の効果】
【００１５】
以上のように本発明によれば、周囲環境と脅威となる対象物とに応じて目標位置までの捜索経路を算出することができる。
【図面の簡単な説明】
【００１６】
【図１】図１は、捜索支援装置の一例を示す図である。
【図２】図２は、捜索支援装置を有する捜索支援システムの一例を示す図である。
【図３】図３は、捜索支援システムの具体的な図である。
【図４】図４は、目標物の探知確率の説明をするための図である。
【図５】図５は、脅威となる対象物からの被探知確率の説明をするための図である。
【図６】図６は、捜索経路の表示の一例を示す図である。
【図７】図７は、探知確率要求度と被探知確率要求度の変動を示す図である。
【図８】図８は、捜索経路を算出する動作の一例を示す図である。
【図９】図９は、移動コストを算出する動作の一例を示す図である。
【図１０】図１０は、捜索支援装置を実現するコンピュータの一例を示す図である。
【発明を実施するための形態】
【００１７】
（実施の形態）
以下、本発明の実施の形態１について、図１から図１０を参照しながら説明する。
【００１８】
［装置構成］
最初に、図１を用いて、本実施の形態における捜索支援装置の構成について説明する。図１は、捜索支援装置の一例を示す図である。
【００１９】
図１に示す本実施の形態における捜索支援装置１は、周囲環境と脅威となる対象物とに応じて目標位置までの捜索経路を算出する装置である。図１に示すように、捜索支援装置１は、捜索センサ部２と、環境センサ部３と、捜索有効範囲推定部４と、脅威有効範囲推定部５と、経路算出部６とを有する。目標位置は、目標位置を含むその周辺範囲としてもよい。
【００２０】
このうち、捜索センサ部２は、目標物を捜索する。環境センサ部３は、周囲環境を計測し、計測結果に基づいて環境情報を生成する。捜索有効範囲推定部４は、環境情報と捜索センサ部２の性能を示す性能情報とを用いて、捜索センサ部２の捜索有効範囲を推定する。脅威有効範囲推定部５は、環境情報と、脅威となる対象物の保有するセンサの性能を示す性能情報とを用いて、対象物の保有するセンサの脅威有効範囲を推定する。経路算出部６は、捜索センサ部２の捜索有効範囲と、対象物の保有するセンサの捜索有効範囲と、脅威となる対象物の存在確率の分布とに基づいて、目標物までの捜索経路を算出する。
【００２１】
このように、本実施の形態では、捜索センサ部２の捜索有効範囲と、対象物の保有するセンサの捜索有効範囲と、脅威となる対象物の存在確率の分布とに基づいて、目標物までの捜索経路を算出できる。そのため、例えば、ビークルに周囲環境の影響を受けやすいセンサを搭載した場合でも、周囲環境と脅威となる対象物とに応じて、目標位置までの捜索経路を算出することができる。その結果、ビークルに搭載したセンサが周囲環境の影響を受けやすいセンサを利用しても、ミッションの目的に対して最適性の高い捜索経路を算出することができる。
【００２２】
［システム構成］
続いて、図２を用いて、本実施の形態における捜索支援装置１と、捜索支援装置１を有する捜索支援システム２０について具体的に説明する。図２は、捜索支援装置を有する捜索支援システムの一例を示す図である。
【００２３】
図２に示すように、本実施の形態における捜索支援システム２０は、データベース局１０１及びビークル１１０を有する。データベース局１０１は、例えば、データベースを設置する施設である。データベース局１０１は、脅威対象情報データベース１０２と、広域目標情報データベース１０３と、広域環境情報データベース１０４と、広域危険度情報データベース１０５と、通信装置１０６とを有する。
【００２４】
脅威対象情報データベース１０２は、脅威となる対象物が保有するセンサの性能を示す情報を記憶する。広域目標情報データベース１０３は、捜索支援システム２０の外部から取得する目標物の存在を示す情報を有する。広域環境情報データベース１０４は、捜索支援システム２０の外部から取得する周囲環境を計測した環境情報を有する。言い換えれば、環境情報は、センサの性能、又はビークルの移動性能の算出に用いる情報である。広域危険度情報データベース１０５は、捜索支援システム２０の外部から取得する脅威となる対象物の存在を示す情報を有する。通信装置１０６は、これらのデータベース１０２から１０５が有するデータを、ビークル１１０の通信装置１１４を介して送信する。
【００２５】
ビークル１１０は、移動可能なビークルである。ビークル１１０は、パラメータ入力装置１１１と、捜索センサ装置１１２（捜索センサ部２）と、環境情報取得センサ装置１１３（環境センサ部３）と、通信装置１１４と、捜索支援装置１１５（捜索有効範囲推定部４、脅威有効範囲推定部５及び経路算出部６を有する捜索支援装置１）と、表示装置１１６とを有する。
【００２６】
パラメータ入力装置１１１は、ミッションの目的に合わせたパラメータ値を設定する。捜索センサ装置１１２は、ミッションにより設定される目標物を捜索し、目標物について目標物情報を生成する。環境情報取得センサ装置１１３は、センサの性能、又はビークルの移動性能の算出に用いる環境情報を生成する。例えば、周囲のセンサ能力やビークルの移動性能に関する情報である。通信装置１１４は、データベース局１０１から、通信装置１０６を介してデータを受信する。捜索支援装置１１５は、捜索経路の算出を行う。表示装置１１６は、算出した捜索経路を表示する。
【００２７】
捜索支援システムについて具体的に説明する。
ビークル１１０を水上又は水中航走体とし、捜索センサ装置１１２を音波によりセンシングを行うソーナーとした場合について、図３を用いて説明する。図３は、捜索支援システムの具体的な図である。
【００２８】
図３において、ビークル１１０は、パラメータ入力装置２０１（１１１）、捜索センサ装置２０２（１１２：ソーナー）、環境情報取得センサ装置２０３（１１３）、データベース局２０４（１０１）、捜索支援装置２０５（１１５）、表示装置２０６（１１６）を有する。
【００２９】
パラメータ入力装置２０１は、開始・終了位置設定情報２１０と、速力設定情報２１１と、ミッション設定情報２１２とを捜索支援装置２０５へ入力する。
【００３０】
具体的には、開始・終了位置設定情報２１０は、ビークル１１０による捜索の開始位置と終了位置とを示す情報を有する。速力設定情報２１１は、ビークル１１０の速力を設定するための情報である。なお、複数の設定値を有してもよい。ミッション設定情報２１２は、実施するミッションに関する目標物の探知確率の要求度と、脅威となる対象物からの被探知確率の要求度と、ミッション遂行時間の要求度とを有する情報である。要求度は、実施するミッションにおける各パラメータの重要度を表した値であり、捜索経路の算出において、重み付けとして利用する。例えば、目標物の探知確率の要求度を高く設定し、脅威となる対象物からの被探知確率の要求度を低く設定する場合、目標物を探知しやすいが、脅威となる対象物からは探知される可能性の高い経路を算出する。
【００３１】
捜索センサ装置２０２は、音波情報を取得し、取得した音波情報に対して、信号処理、及び情報処理などを行う装置である。また、捜索センサ装置２０２は、目標物情報（目標位置情報２２０、目標運動情報２２１）を捜索支援装置２０５へ入力する。
【００３２】
具体的には、目標位置情報２２０は、探知した目標物の位置の分布及び確度それぞれを示す情報である。目標運動情報２２１は、目標物の移動方向と移動速度の分布を示す情報である。
【００３３】
環境情報取得センサ装置２０３は、周囲水中音速情報２３０と、周囲流速情報２３１とを捜索支援装置２０５へ出力する。
【００３４】
具体的には、周囲水中音速情報２３０は、水中センサを用いて取得した水温を示す情報と、電気伝導度から算出した水中音速の鉛直プロファイルを示す情報などである。周囲流速情報２３１は、水中センサを用いて取得した、周囲の水流の速度ベクトルを示す情報である。
【００３５】
データベース局２０４は、脅威対象センサ性能情報２４０と、広域目標位置情報２４１と、広域水中音速情報２４２と、広域流速情報２４３と、広域危険度情報２４４とを捜索支援装置２０５へ、通信装置１０６を介して送信する。
【００３６】
具体的には、脅威対象センサ性能情報２４０は、データベース局２０４から受信した、ビークル１１０の脅威となる対象物の保有するセンサの性能を示す情報である。広域目標位置情報２４１は、ビークル１１０の目標物の存在確率の分布を示す情報である。広域水中音速情報２４２は、ミッションにおいて捜索する領域全体の水中音速分布を示す情報である。広域流速情報２４３は、ミッションにおいて捜索する領域全体の流速分布を示す情報である。広域危険度情報２４４は、脅威となる対象物の存在確率の分布を示す情報である。
【００３７】
捜索支援装置２０５は、パラメータ入力装置２０１と、捜索センサ装置２０２と、環境情報取得センサ装置２０３と、データベース局２０４とから取得した情報を用いて、経路情報と、探知確率情報と、被探知確率情報とを算出する。
【００３８】
捜索支援装置２０５は、捜索経路算出部２５０と、センサ性能推定部２５１と、目標位置推定部２５２と、水中音速推定部２５３と、流速推定部２５４と、捜索センサ能力データ２５５と、地形データ２５６とを有する。更に、捜索支援装置２０５は、探知確率算出部２６１と、被探知確率算出部２６２と、移動コスト算出部２６３と、表示情報生成部２６４とを有する。
【００３９】
捜索経路算出部２５０は、センサ性能推定部２５１（捜索有効範囲推定部４、脅威有効範囲推定部５）、目標位置推定部２５２、流速推定部２５４から取得した情報と、広域危険度情報２４４と、地形データ２５６の情報とを用いて、捜索経路を探索し、経路情報を算出する。
【００４０】
具体的には、捜索経路算出部２５０は、パラメータ入力装置２０１から取得した、複数の捜索条件パラメータが入力された場合、そのうち一つの捜索条件パラメータを選択する。続いて、捜索経路算出部２５０は、選択した捜索条件パラメータについて、捜索経路を探索の対象とする範囲を算出する。
【００４１】
なお、捜索経路算出部２５０は、捜索条件パラメータで設定された開始位置と終了位置との間の移動について、捜索条件パラメータで設定されたビークル１１０の速力を用いた場合、捜索条件パラメータで設定されたミッション遂行時間内に到達できる範囲のみを経路探索範囲とする。
【００４２】
ここで、開始位置と終了位置との間において設定された速力で直線移動し、かつミッション設定情報中のミッション遂行時間を超える場合、選択された条件で到達できないと判定し、捜索経路を探索する対象範囲から外す。
【００４３】
続いて、捜索経路算出部２５０は、捜索経路を探索で使用するセルを生成するため、経路探索範囲を後述するグリッド分割処理をする。なお、グリッドの間隔は固定値としてもよいし、可変値としてもよい。
【００４４】
続いて、捜索経路算出部２５０は、捜索条件パラメータにより設定された開始位置から終了位置までの間に対する捜索経路算出処理を実行する。具体的には、捜索経路算出処理は、捜索経路に対して、個別の移動コストの設定ができる経路探索アルゴリズムである、ダイクストラ法、又はＡ＊（A-Star）法などを用いる。ここで、移動コストとは、事前に設定された要求度に依存する移動に必要な仮想的な費用を示す値である。本実施の形態では、移動に必要な時間をベースとして、目標物の探知確率と、脅威となる対象物からの被探知確率とを踏まえて算出する。例えば、目標の探知確率の要求度を高く設定する場合は、目標物を探知しやすい経路はより低い移動コストとなる。また、脅威となる対象物からの被探知確率の要求度を高く設定する場合、脅威から探知されやすい経路はより高い移動コストとなる。
【００４５】
また、経路情報は、捜索を開始する開始位置から捜索を終了する終了位置までの捜索経路を示す情報である。探知確率情報は、ビークル１１０により捜索対象である目標物を探知できる範囲と、探知確率とを示す情報である。被探知確率情報は、ビークル１１０が脅威となる対象物から探知される範囲と、被探知確率とを示す情報である。
【００４６】
センサ性能推定部２５１が有する捜索有効範囲推定部４は、例えば、水中音速推定部２５３から取得した入力データと、捜索センサ能力データ２５５と、地形データ２５６とを用いて、入力データに対する捜索センサ装置２０２のソーナー性能を推定する。また、センサ性能推定部２５１が有する脅威有効範囲推定部５は、例えば、水中音速推定部２５３から取得した入力データと、脅威対象センサ性能情報２４０と、地形データ２５６とを用いて、入力データに対する脅威となる対象物が保有するソーナー性能を推定する。
【００４７】
なお、センサ性能推定部２５１は、捜索センサ装置２０２の性能がビークル１１０の速度により変化する場合、速力設定情報２１１を取得して、取得した速力設定情報２１１を加え、ソーナー性能を推定してもよい。
【００４８】
目標位置推定部２５２は、目標位置情報２２０と目標運動情報２２１より算出した指定日時における捜索センサ装置２０２により検出した、目標物の推定位置情報に加えて、広域目標位置情報２４１から取得した入力データを統合し、広域における目標物の存在確率の分布を算出する。
【００４９】
水中音速推定部２５３は、広域水中音速情報２４２を周囲水中音速情報２３０で補正することで水中音速分布の推定値を算出する。
【００５０】
流速推定部２５４は、広域流速情報２４３を周囲流速情報２３１で補正することで流速分布の推定値を算出する。
【００５１】
探知確率算出部２６１は、環境情報を用いて、推定した目標位置に到達する到達日時を推定し、目標物情報を用いて到達日時における目標物の存在確率の分布を推定する。また、探知確率算出部２６１は、環境情報を用いて到達日時における推定した目標位置の環境を推定するとともに、推定した目標物の存在確率の分布と、推定した目標位置の環境とを用いて、到達日時における、推定した目標位置における目標物の探知確率を算出する。
【００５２】
具体的には、探知確率算出部２６１は、まず、海流の流速情報などの環境情報を用いて、推定した目標位置に到達する到達日時と、推定した目標位置に到達するまでの移動時間とを推定する。続いて、探知確率算出部２６１は、目標位置情報２２０と目標運動情報２２１を用いて推定した目標位置と、広域目標位置情報２４１とに基づいて、到達日時における、推定した目標位置における目標物の存在確率の分布を算出する。また、探知確率算出部２６１は、広域水中音速情報２４２を周囲水中音速情報２３０で補正することで、水中音速分布の変動を加味し、到達日時における水中音速分布の推定値を算出する。そして、探知確率算出部２６１は、到達日時における、目標物の存在確率の分布と、水中音速分布の推定値と、捜索センサ能力データ２５５と、地形データ２５６とを用いて、目標物の探知確率を算出する。
【００５３】
目標物の探知確率の算出について、図４を用いて更に説明する。図４は、目標物の探知確率の説明をするための図である。
【００５４】
図４に示す目標存在推定マップ５０１は、グリッド分割処理により生成された複数のセルにより分割された、到達日時における目標物の存在確率の分布を示すマップである。なお、図４に示すようにセルの色が濃いほど、目標物の存在確率は高いものとする。
【００５５】
捜索有効範囲５０２は、到達日時における水中音速分布の推定値と、捜索センサ能力データ２５５と、地形データ２５６とを用いて算出した中心点５０３を基準とした捜索センサ装置２０２の有効範囲を示している。
【００５６】
探知確率マップ５０４は、目標存在推定マップ５０１と捜索有効範囲５０２との値を位置座標ごとに乗算することで算出される情報を示している。そして、探知確率マップ５０４に示すセルすべて乗算値を加算することで、目標物の探知確率に関する指標値を算出する。
【００５７】
被探知確率算出部２６２は、環境情報を用いて、推定した目標位置に到達する到達日時を推定し、目標物情報を用いて到達日時における目標物の存在確率の分布を推定する。また、被探知確率算出部２６２は、環境情報を用いて到達日時における推定した目標位置の環境を推定し、推定した目標物の存在確率の分布と、推定した目標位置の環境とを用いて、脅威となる対象物の保有するセンサの性能を示す性能情報と、推定した目標位置の環境とを用いて、脅威となる対象物からの被探知確率を算出する。
【００５８】
具体的には、被探知確率算出部２６２は、探知確率算出部２６１と同様、推定した目標位置に到達する到達日時と、推定した目標位置に到達するまでの移動時間と、到達日時における推定した目標位置における目標物の存在確率の分布を算出する。また、被探知確率算出部２６２は、探知確率算出部２６１と同様、到達日時における水中音速分布の推定値を算出する。そして、被探知確率算出部２６２は、到達日時における、水中音速分布の推定値と、脅威対象センサ性能情報２４０と、広域危険度情報２４４と、地形データ２５６とを用いて、脅威となる対象物からの被探知確率を算出する。
【００５９】
脅威となる対象物からの被探知確率の算出について、図５を用いて更に説明する。図５は、脅威となる対象物からの被探知確率の説明をするための図である。
【００６０】
図５に示す脅威対象存在予測マップ６０１は、グリッド分割処理により生成された複数のセルにより分割された、到達日時における、脅威となる対象物の存在確率の分布を示すマップである。脅威対象存在予測マップ６０１は、広域危険度情報２４４を用いて生成される。なお、図５に示すようにセルの色が濃いほど、脅威となる対象物の存在確率は高いものとする。
【００６１】
脅威有効範囲６０２は、到達日時における水中音速分布の推定値と、脅威対象センサ性能情報２４０と、地形データ２５６とを用いて算出した中心点６０３を基準とした脅威となる対象物が保有するセンサにより探知される可能性のある有効範囲である。
【００６２】
被探知確率マップ６０４は、脅威対象存在予測マップ６０１と脅威有効範囲６０２との値を位置座標ごとに乗算することで算出される情報を示している。そして、被探知確率マップ６０４に示すセルすべての乗算値を加算することで、脅威となる対象物からの被探知確率に関する指標値を算出する。
【００６３】
移動コスト算出部２６３は、推定した目標位置における探知確率と、探知確率の要求度とを乗算した値と、推定した目標位置における被探知確率と、被探知確率の要求度とを乗算した値とを乗算して、推定した目標位置までの移動時間に対する、移動コストを算出する。
【００６４】
具体的には、移動コスト算出部２６３は、推定した目標位置が含まれるセルまでの移動時間に対して、推定した目標物の探知確率と、捜索条件パラメータで設定された目標物の探知確率の要求度とを乗算して乗算値を算出する。また、移動コスト算出部２６３は、推定した目標位置が含まれるセルまでの移動時間に対して、脅威となる対象物からの被探知確率と、捜索条件パラメータで設定された脅威となる対象物からの被探知確率の要求度とを乗算して乗算値を算出する。そして、移動コスト算出部２６３は、これらの乗算値を乗算して、推定した目標位置が含まれるセルまでの移動時間に対して、移動コストを算出する。
【００６５】
表示情報生成部２６４は、生成した経路情報と、探知確率情報と、被探知確率情報それぞれに対応する表示を、表示装置２０６に表示させるための表示情報を生成する。具体的には、表示情報生成部２６４は、経路情報についての表示を表示装置２０６に表示させるための経路表示情報２７０と、探知確率情報についての表示を表示装置２０６に表示させるための探知確率表示情報２７１と、被探知確率情報についての表示を表示装置２０６に表示させるための被探知確率表示情報２７２とを生成し、表示装置２０６へ送信する。
【００６６】
図６は、捜索経路の表示の一例を示す図である。図６に示す経路表示部７０１には、捜索条件パラメータごとの複数の捜索経路７０１ａ、７０１ｂ、７０１ｃの算出結果と、経路探索対象範囲７０１ｄと経路探索用グリッド（セル）を表示する。
【００６７】
捜索条件パラメータ設定画面７０２は、捜索条件パラメータを設定する画面であり、複数の条件を設定することができる。目標探知確率要求度設定部７０３は、経路探索における目標物の探知確率に対する重みである探知確率に対する要求度を設定するためのユーザーインターフェースである。要求度は、例えば、数値入力でもよいし、スライドバーなどを用いて設定してもよい。被探知確率要求度設定部７０４は、経路探索における脅威となる対象物からの被探知確率に対する重みである被探知確率に対する要求度を設定するためのユーザーインターフェースである。ミッション遂行時間の要求値設定部７０５は、ミッション遂行時間の要求値を入力するユーザーインターフェースである。なお、要求度、要求値は、例えば、数値入力でもよいし、スライドバーなどを用いて設定してもよい。
【００６８】
探知・被探知確率表示部７０６は、捜索条件パラメータごとの最適捜索経路を選択した場合の捜索センサ装置２０２による目標物の探知確率の推移のグラフ、又は脅威となる対象物からの被探知確率の推移を示すグラフを表示する。
【００６９】
（変形例）
パラメータ入力装置２０１は、捜索条件ごとにそれぞれ一つの探知確率に対応する要求度と被探知確率に対する要求度を入力している。しかし、ミッション期間内（移動時間）において探知確率に対する要求度と被探知確率に対する要求度が変動する場合、図７に示すように要求度（探知確率要求度、被探知確率要求度）を、時間に応じて更新する設定をしてもよい。図７は、探知確率要求度と被探知確率要求度の変動を示す図である。
【００７０】
時間に応じて変動する要求度とは、実施するミッションにおける各パラメータの重要度が時間によって変化することを示す。例えば、ミッション開始直後は特に脅威となる対象物からの被探知が問題となるが一定時間後には被探知されても問題が無くなる場合は、ミッション開始直後の時間において被探知確率要求度を高く設定し、一定時間後に同要求度を低く設定する。この場合、移動コストの算出において用いる要求度（探知確率要求度、被探知確率要求度）は、移動コストを算出する位置への到達日時における値を用いる。
【００７１】
［装置動作］
次に、本発明の実施の形態における捜索支援装置の動作について図８、図９を用いて説明する。図８は、捜索経路を算出する動作の一例を示す図である。図９は、移動コストを算出する動作の一例を示す図である。以下の説明においては、適宜図１から図６を参酌する。また、本実施の形態では、捜索支援装置を動作させることによって、捜索支援方法が実施される。よって、本実施の形態における捜索支援方法の説明は、以下の捜索支援装置の動作説明に代える。
【００７２】
捜索経路を算出する動作について説明をする。
ステップＡ１（捜索条件選択）において、捜索経路算出部２５０は、パラメータ入力装置２０１から複数の捜索条件パラメータが入力された場合、そのうち一つの捜索条件パラメータを選択する。
【００７３】
ステップＡ２（経路探索対象範囲算出）において、捜索経路算出部２５０は、経路探索の対象とする範囲を算出する。捜索条件パラメータで設定された開始位置と終了位置との間の移動について、捜索条件パラメータで設定されたビークル１１０の速力を用いた場合、捜索条件パラメータで設定されたミッション遂行時間内で到達可能な範囲のみを経路探索範囲とする。
【００７４】
ステップＡ３において、捜索経路算出部２５０は、選択された条件において、ビークル１１０が終了位置に到達可能であるか否かを判定する。開始位置と終了位置との間を、設定された速力で直線移動する場合において、ビークル１１０の移動時間が、ミッション設定情報により設定されたミッション遂行時間（到達日時）を超えた場合（ステップＡ３：Ｎｏ）、選択された条件で到達可能ではないと判定し、以降の経路探索の対象範囲としない。
【００７５】
次に、ビークル１１０の移動時間がミッション遂行時間（到達日時）を超えていない場合（ステップＡ３：Ｙｅｓ）、ステップＡ４（経路探索用グリッド生成）において、捜索経路算出部２５０は、経路探索範囲に対してグリッド分割処理を実行する。
【００７６】
ステップＡ５（経路探索）において、捜索経路算出部２５０は、捜索条件パラメータにて設定された開始位置から終了位置の間に対する経路探索処理を実行する。例えば、経路に対して個別の移動コストの設定ができる、経路探索アルゴリズムであるダイクストラ法やＡ＊法などを用いる。なお、セル間の移動コストは、図４に示す捜索条件パラメータに従った重みをつけた手法を用いるものとする。
【００７７】
ステップＡ６において、捜索経路算出部２５０は、パラメータ入力装置２０１から入力されたすべての捜索条件パラメータに対して捜索経路を算出したか否かを判定する。全ての捜索条件パラメータに対して捜索経路を算出していない場合（ステップＡ６：Ｎｏ）、捜索経路算出部２５０は、次の捜索条件パラメータに対して捜索経路算出を実行する。全ての捜索条件パラメータに対して捜索経路を算出してした場合（ステップＡ６：Ｙｅｓ）、捜索経路算出部２５０は、捜索経路算出処理を終了する。
【００７８】
移動コストを算出する動作について説明をする。
ステップＢ１（対象セルの到達時刻の算出）において、探知確率算出部２６１又は被探知確率算出部２６２は、移動コストの基準となるセルから、移動コストを算出する対象となる隣接セルまでの、ビークル１１０の移動時間を、海流の流速情報などを用いて算出する。
【００７９】
ステップＢ２（対象セル到達日時での推定した目標位置の算出）において、探知確率算出部２６１又は被探知確率算出部２６２は、目標位置情報２２０と広域目標位置情報２４１とより、対象セルの到達日時における目標物の存在確率の分布を算出する。
【００８０】
ステップＢ３（対象セル到達日時での推定環境の算出）において、探知確率算出部２６１又は被探知確率算出部２６２は、広域水中音速情報２４２を周囲水中音速情報２３０で補正することで、対象セルの到達日時における水中音速分布の推定値を算出する。なお、ステップＢ２、ステップＢ３の処理の順番は限定しない。
【００８１】
ステップＢ４（対象セルでの搭載センサによる目標物の探知確率の算出）において、探知確率算出部２６１は、対象セルの到達日時における目標物の存在確率の分布と、水中音速分布の推定値と、捜索センサ能力データ２５５と、地形データ２５６とを用いて、対象セルにおける目標物の探知確率を算出する。図５を参照。
【００８２】
ステップＢ５（対象セルでの脅威となる対象物からの被探知確率の算出）において、被探知確率算出部２６２は、対象セルの到達日時における水中音速分布の推定値と、脅威対象センサ性能情報２４０と、広域危険度情報２４４と、地形データ２５６とを用いて、対象セルにおける脅威となる対象物からの被探知確率を算出する。図６を参照。なお、ステップＢ４、ステップＢ５の処理の順番は限定しない。
【００８３】
ステップＢ６（対象セルへの重み付き移動コストの算出）において、移動コスト算出部２６３は、セル間の移動時間に対して、対象セルにおける目標物の探知確率と、捜索条件パラメータを用いて設定された目標探知確率の要求度との乗算値を算出する。また、移動コスト算出部２６３は、対象セルにおける脅威となる対象物からの被探知確率と、捜索条件パラメータを用いて設定された脅威となる対象物からの被探知確率の要求度との乗算値を算出する。そして、移動コスト算出部２６３は、それら乗算値を乗算して対象セルまでの移動コストを算出する。
【００８４】
［本実施の形態の効果］
以上のように本実施の形態によれば、捜索センサ部２の捜索有効範囲と、対象物の保有するセンサの捜索有効範囲と、脅威となる対象物の存在確率の分布とに基づいて、目標物までの捜索経路を算出できる。そのため、例えば、ビークルに周囲環境の影響を受けやすいセンサを搭載した場合でも、周囲環境と脅威となる対象物とに応じて、目標位置までの捜索経路を算出することができる。その結果、ビークルに搭載したセンサが周囲環境の影響を受けやすいセンサを利用しても、ミッションの目的に対して最適性の高い捜索経路を算出することができる。
【００８５】
また、本実施の形態では、有人ビークルにおけるオペレータへの捜索経路の提示について説明をしたが、水中無人機や水上無人機などの無人ビークルに対して、捜索支援装置１を適用してもよい。
【００８６】
更に、無人機に搭載した捜索支援装置１は、事前に優先順位づけをした捜索条件パラメータを記憶し、それら捜索条件パラメータを用いて捜索経路探索処理を実行してもよい。また、捜索経路探索処理を実行した後、最も優先順位が高い捜索経路を選択し、無人機の行動判断に利用することができる。
【００８７】
［プログラム］
本発明の実施の形態におけるプログラムは、コンピュータに、図８に示すステップＡ１からＡ６を実行させるプログラム、図９に示すステップＢ１からＢ６を実行させるプログラムであれば良い。また、表示装置２０６に表示情報を表示させるプログラムであればよい。このプログラムをコンピュータにインストールし、実行することによって、本実施の形態における捜索支援装置と捜索支援方法とを実現することができる。
【００８８】
また、コンピュータのプロセッサは、捜索経路算出部２５０、センサ性能推定部２５１、目標位置推定部２５２、水中音速推定部２５３、流速推定部２５４、探知確率算出部２６１、被探知確率算出部２６２、移動コスト算出部２６３、表示情報生成部２６４として機能し、処理を行なう。
【００８９】
また、本実施の形態におけるプログラムは、複数のコンピュータによって構築されたコンピュータシステムによって実行されても良い。この場合は、例えば、各コンピュータが、それぞれ、捜索経路算出部２５０、センサ性能推定部２５１、目標位置推定部２５２、水中音速推定部２５３、流速推定部２５４、探知確率算出部２６１、被探知確率算出部２６２、移動コスト算出部２６３、表示情報生成部２６４のいずれかとして機能してもよい。
【００９０】
［物理構成］
ここで、実施の形態におけるプログラムを実行することによって、捜索支援装置を実現するコンピュータについて図１０を用いて説明する。図１０は、本発明の実施の形態における捜索支援装置を実現するコンピュータの一例を示すブロック図である。
【００９１】
図１０に示すように、コンピュータ４１０は、ＣＰＵ４１１と、メインメモリ４１２と、記憶装置４１３と、入力インターフェイス４１４と、表示コントローラ４１５と、データリーダ／ライタ４１６と、通信インターフェイス４１７とを備える。これらの各部は、バス４２１を介して、互いにデータ通信可能に接続される。なお、コンピュータ４１０は、ＣＰＵ４１１に加えて、又はＣＰＵ４１１に代えて、ＧＰＵ（Graphics Processing Unit）、又はＦＰＧＡ（Field-Programmable Gate Array）を備えていてもよい。
【００９２】
ＣＰＵ４１１は、記憶装置４１３に格納された、本実施の形態におけるプログラム（コード）をメインメモリ４１２に展開し、これらを所定順序で実行することにより、各種の演算を実施する。メインメモリ４１２は、典型的には、ＤＲＡＭ（Dynamic Random Access Memory）等の揮発性の記憶装置である。また、本実施の形態におけるプログラムは、コンピュータ読み取り可能な記録媒体４２０に格納された状態で提供される。なお、本実施の形態におけるプログラムは、通信インターフェイス４１７を介して接続されたインターネット上で流通するものであっても良い。
【００９３】
また、記憶装置４１３の具体例としては、ハードディスクドライブの他、フラッシュメモリ等の半導体記憶装置が挙げられる。入力インターフェイス４１４は、ＣＰＵ４１１と、キーボード及びマウスといった入力機器４１８との間のデータ伝送を仲介する。表示コントローラ４１５は、ディスプレイ装置４１９と接続され、ディスプレイ装置４１９での表示を制御する。
【００９４】
データリーダ／ライタ４１６は、ＣＰＵ４１１と記録媒体４２０との間のデータ伝送を仲介し、記録媒体４２０からのプログラムの読み出し、及びコンピュータ４１０における処理結果の記録媒体４２０への書き込みを実行する。通信インターフェイス４１７は、ＣＰＵ４１１と、他のコンピュータとの間のデータ伝送を仲介する。
【００９５】
また、記録媒体４２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００９６】
なお、本実施の形態における捜索支援装置１は、プログラムがインストールされたコンピュータではなく、各部に対応したハードウェアを用いることによっても実現可能である。更に、捜索支援装置１は、一部がプログラムで実現され、残りの部分がハードウェアで実現されていてもよい。
【００９７】
［付記］
以上の実施の形態に関し、更に以下の付記を開示する。上述した実施の形態の一部又は全部は、以下に記載する（付記１）から（付記１８）により表現することができるが、以下の記載に限定されるものではない。
【００９８】
（付記１）
周囲環境を表す環境情報と、目標物を捜索する捜索センサ部の性能を示す性能情報とを用いて、前記捜索センサ部の捜索有効範囲を推定する、捜索有効範囲推定部と、
前記環境情報と、脅威となる対象物の保有するセンサの性能を示す性能情報とを用いて、前記対象物の保有するセンサの捜索有効範囲を推定する、脅威有効範囲推定部と、
前記捜索センサ部の捜索有効範囲と、前記対象物の保有するセンサの捜索有効範囲と、前記脅威となる対象物の予測場所とに基づいて、前記目標物までの捜索経路を算出する、経路算出部と、
を有することを特徴とする捜索支援装置。
【００９９】
（付記２）
付記１に記載の捜索支援装置であって、
前記目標物について、推定した目標位置と、前記予測場所についての存在確率分布と、移動方向と、移動速度とを有する目標物情報を生成する捜索センサ部
をさらに備え、
前記経路算出部は、前記目標物情報に基づいて、前記目標物までの捜索経路を算出する
ことを特徴とする捜索支援装置。
【０１００】
（付記３）
付記２に記載の捜索支援装置であって、
前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、前記到達日時における、推定した前記目標位置における前記目標物の探知確率を算出する、探知確率算出部
を有することを特徴とする捜索支援装置。
【０１０１】
（付記４）
付記３に記載の捜索支援装置であって、
前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、脅威となる前記対象物の保有するセンサの性能を示す性能情報と、推定した前記目標位置の環境とを用いて、脅威となる前記対象物からの被探知確率を算出する、被探知確率算出部
を有することを特徴とする捜索支援装置。
【０１０２】
（付記５）
付記４に記載の捜索支援装置であって、
推定した前記目標位置における前記探知確率と、前記探知確率の要求度とを乗算した値と、推定した前記目標位置における前記被探知確率と、前記被探知確率の要求度とを乗算した値とを乗算して、推定した前記目標位置までの移動時間に対する、移動コストを算出する、移動コスト算出部
を有することを特徴とする捜索支援装置。
【０１０３】
（付記６）
付記５に記載の捜索支援装置であって、
前記捜索経路、又は探知確率、又は被探知確率、又はそれらを組み合わせた表示をするための表示情報を生成する、表示情報生成部
を有することを特徴とする捜索支援装置。
【０１０４】
（付記７）
コンピュータが、
（ａ）周囲環境を表す環境情報と、目標物を捜索する捜索センサ部の性能を示す性能情報とを用いて、前記捜索センサ部の捜索有効範囲を推定し、
（ｂ）前記環境情報と、脅威となる対象物の保有するセンサの性能を示す性能情報とを用いて、前記対象物の保有するセンサの捜索有効範囲を推定し、
（ｃ）前記捜索センサ部の捜索有効範囲と、前記対象物の保有するセンサの捜索有効範囲と、前記脅威となる対象物の予測場所とに基づいて、前記目標物までの捜索経路を算出する
ことを特徴とする捜索支援方法。
【０１０５】
（付記８）
付記７に記載の捜索支援方法であって、
前記（ｃ）の処理において、前記捜索センサ部が生成した、前記目標物について、推定した目標位置と、前記予測場所についての存在確率の分布と、移動方向と、移動速度とを有する目標物情報に基づいて、前記目標物までの捜索経路を算出する
ことを特徴とする捜索支援方法。
【０１０６】
（付記９）
付記８に記載の捜索支援方法であって、
（ｄ）前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、前記到達日時における、推定した前記目標位置における前記目標物の探知確率を算出する
ことを特徴とする捜索支援方法。
【０１０７】
（付記１０）
付記９に記載の捜索支援方法であって、
（ｅ）前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、脅威となる前記対象物の保有するセンサの性能を示す性能情報と、推定した前記目標位置の環境とを用いて、脅威となる前記対象物からの被探知確率を算出する
ことを特徴とする捜索支援方法。
【０１０８】
（付記１１）
付記１０に記載の捜索支援方法であって、
（ｆ）推定した前記目標位置における前記探知確率と、前記探知確率の要求度とを乗算した値と、推定した前記目標位置における前記被探知確率と、前記被探知確率の要求度とを乗算した値とを乗算して、推定した前記目標位置までの移動時間に対する、移動コストを算出する
ことを特徴とする捜索支援方法。
【０１０９】
（付記１２）
付記１１に記載の捜索支援方法であって、
（ｇ）前記捜索経路、又は探知確率、又は被探知確率、又はそれらを組み合わせた表示をするための表示情報を生成する
ことを特徴とする捜索支援方法。
【０１１０】
（付記１３）
コンピュータに、
（ａ）周囲環境を表す環境情報と、目標物を捜索する捜索センサ部の性能を示す性能情報とを用いて、前記捜索センサ部の捜索有効範囲を推定する、ステップと、
（ｂ）前記環境情報と、脅威となる対象物の保有するセンサの性能を示す性能情報とを用いて、前記対象物の保有するセンサの捜索有効範囲を推定する、ステップと、
（ｃ）前記捜索センサ部の捜索有効範囲と、前記対象物の保有するセンサの捜索有効範囲と、前記脅威となる対象物の予測場所とに基づいて、前記目標物までの捜索経路を算出する、ステップと、
を実行させるプログラム。
【０１１１】
（付記１４）
付記１３に記載のプログラムであって、
前記（ｃ）のステップにおいて、前記捜索センサ部が生成した、前記目標物について、推定した目標位置と、前記予測場所についての存在確率の分布と、移動方向と、移動速度とを有する目標物情報に基づいて、前記目標物までの捜索経路を算出する
ことを特徴とするプログラム。
【０１１２】
（付記１５）
付記１４に記載のプログラムであって、
前記プログラムが、前記コンピュータに、
（ｄ）前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、前記到達日時における、推定した前記目標位置における前記目標物の探知確率を算出する、ステップを実行させるプログラム。
【０１１３】
（付記１６）
付記１５に記載のプログラムであって、
前記プログラムが、前記コンピュータに、
（ｅ）前記環境情報を用いて推定した前記目標位置に到達する到達日時を推定し、前記目標物情報を用いて前記到達日時における前記目標物の存在確率の分布を推定し、前記環境情報を用いて前記到達日時における推定した前記目標位置の環境を推定し、推定した前記目標物の存在確率の分布と、推定した前記目標位置の環境とを用いて、脅威となる前記対象物の保有するセンサの性能を示す性能情報と、推定した前記目標位置の環境とを用いて、脅威となる前記対象物からの被探知確率を算出する、ステップを実行させるプログラム。
【０１１４】
（付記１７）
付記１６に記載のプログラムであって、
前記プログラムが、前記コンピュータに、
（ｆ）推定した前記目標位置における前記探知確率と、前記探知確率の要求度とを乗算した値と、推定した前記目標位置における前記被探知確率と、前記被探知確率の要求度とを乗算した値とを乗算して、推定した前記目標位置までの移動時間に対する、移動コストを算出する、ステップを実行させるプログラム。
【０１１５】
（付記１８）
付記１７に記載のプログラムであって、
前記プログラムが、前記コンピュータに、
（ｇ）前記捜索経路、又は探知確率、又は被探知確率、又はそれらを組み合わせた表示をするための表示情報を生成する、ステップを実行させるプログラム。
【０１１６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１１７】
この出願は、２０１８年３月２６日に出願された日本出願特願２０１８−０５８８２１を基礎とする優先権を主張し、その開示の全てをここに取り込む。
【産業上の利用可能性】
【０１１８】
以上のように本発明によれば、周囲環境と脅威となる対象物とに応じて目標位置までの捜索経路を算出することができる。本発明は、捜索経路を算出が必要な分野において有用である。
【符号の説明】
【０１１９】
１  捜索支援装置
２  捜索センサ部
３  環境センサ部
４  捜索有効範囲推定部
５  脅威有効範囲推定部
６  経路算出部
２０  捜索支援システム
１０１  データベース局
１０２  脅威対象情報データベース
１０３  広域目標情報データベース
１０４  広域環境情報データベース
１０５  広域危険度情報データベース
１０６  通信装置
１１０  ビークル
１１１  パラメータ入力装置
１１２  捜索センサ装置
１１３  環境情報取得センサ装置
１１４  通信装置
１１５  捜索支援装置
１１６  表示装置
２０１  パラメータ入力装置
２０２  捜索センサ装置
２０３  環境情報取得センサ装置
２０４  データベース局
２０５  捜索支援装置
２０６  表示装置
４１０  コンピュータ
４１１  ＣＰＵ
４１２  メインメモリ
４１３  記憶装置
４１４  入力インターフェイス
４１５  表示コントローラ
４１６  データリーダ／ライタ
４１７  通信インターフェイス
４１８  入力機器
４１９  ディスプレイ装置
４２０  記録媒体
４２１  バス
【図１】
0006984739.tif 000002
【図２】
0006984739.tif 000003
【図３】
0006984739.tif 000004
【図４】
0006984739.tif 000005
【図５】
0006984739.tif 000006
【図６】
0006984739.tif 000007
【図７】
0006984739.tif 000008
【図８】
0006984739.tif 000009
【図９】
0006984739.tif 000010
【図１０】
0006984739.tif 000011